(57)【要約】【課題】  飲料水に含まれている塩素などの化学物質を除去する為の浄化方法の提供。【解決手段】  光を通す透明又は半透明な容器７に天然ゼオライト６，６・・を収容し、この容器内を水がゆっくり通過する。そして、水に含まれている化学物質を該天然ゼオライト６，６・・が有す無数の微細空隙に付着すると共に、付着した化学物質を光合成によって分解処理する。【選択図】    図１
2006095394.tif 000002
【特許請求の範囲】
【請求項１】
飲料水に含まれている化学物質を除去する為の浄化方法において、光を通す透明又は半透明な容器に天然ゼオライトを収容し、この容器内を水がゆっくり通過することで、水中の化学物質を該天然ゼオライトが有す無数の微細空隙に付着すると共に、付着した化学物質を光合成によって分解処理することを特徴とする飲料水の浄化方法。
【請求項２】
上記透明容器には水容量の約５％の天然ゼオライトを収容した請求項１記載の飲料水の浄化方法。
【請求項３】
上記天然ゼオライトの大きさを直径が３mm〜８mmとした請求項１、又は請求項２記載の飲料水の浄化方法。
【発明の詳細な説明】
【技術分野】
【０００１】
本発明は飲料水に含まれている化学物質を、天然ゼオライトを使用することで除去する浄化方法に関するものである。
【背景技術】
【０００２】
飲料水の浄化方法は数多く知られているが、最も一般的な方法としては活性炭を収容した容器内を水が通過することで、該活性炭が有す微小空隙に不純物が侵入して付着する方法である。水道水には殺菌用として塩素が含まれていて、この塩素は発ガン物質(トリハロメタン)を生成する原因とも成っているが、このトリハロメタンを吸着することが出来る。
【０００３】
しかし、飲料水の浄化に求められる要件は単に有害物質を除去するといっただけでなく、金属イオンであるミネラル成分を含み、酸素が溶け込んでいることが必要であり、しかも水の硬度が高過ぎず弱アルカリであって、水のクラスター(分子集団)がより小さいことである。このような飲料水を飲むことで生命体の細胞を活発化して健康な身体を作ることが出来ると言われている。
【０００４】
今日、数多く市販されているペットボトル入りの飲料水は、天然の湧水であり、クラスターが小さくてカルシウムなどの金属イオンを多く含んでいる。従って、喉ごしが良くて美味しい水とされ、多くの人に好まれている。ところで、このような天然の湧水に相当する飲料水を人工的に作ることは容易でなく、又大きな設備を必要とし、コストも高くなる。
【０００５】
特開平１０−２７７５４１号に係る「ゼオライト系水質浄化剤」は、貝化石粒子をゼオライトに添加した水質浄化剤を使用し、飲料水や河川、湖沼などの水質浄化を行うことが出来る。すなわち、粉末ゼオライトを主成分とし、これに貝化石粒と二水石膏と可溶性無水石膏との粉末混合物とを添加混合した水質浄化剤であって、水に含まれた有害物質を除去し、水中にミネラル成分を溶出し、水のクラスターをより小さく生成して飲み易い飲料水の製造と、汚水の汚れを速やかに分離し、水中の重金属類を吸着して、しかもｐHの変動がない等、優れた水質浄化及び廃水処理効果を発揮する。
【０００６】
特開２００４−６８２０９号に係る「木炭粉末と各種人工ゼオライトを混合製造した物が飲料水やその他の水浄化用に最適するゼオライト資材の製造方法及び使用方法」は、間伐木炭粉末と各種人工ゼオライトを用途別にあった物を適宜混合し合成接着剤を添加して、造粒後に乾燥製造し、木炭及び人工ゼオライトの相乗効果により吸着能力を向上させて重金属やアンモニアイオンやリンイオンなどの化学肥料及び農薬などの残留物流入を除去して問題を解決する。
【特許文献１】特開平１０−２７７５４１号に係る「ゼオライト系水質浄化剤」
【特許文献２】特開２００４−６８２０９号に係る「木炭粉末と各種人工ゼオライトを混合製造した物が飲料水やその他の水浄化用に最適するゼオライト資材の製造方法及び使用方法」
【発明の開示】
【発明が解決しようとする課題】
【０００７】
このように、飲料水を浄化する方法には色々ある。本発明は天然ゼオライト(人工ゼオライトではない)を使用して、塩素などの化学物質を除去する飲料水の浄化方法を提供する。
【課題を解決するための手段】
【０００８】
本発明は天然ゼオライトを砕いて容器に入れ、この容器内を水がゆっくり循環することで化学物質を吸着・分解して浄化することが出来る。天然ゼオライトは地球が発生して以来、二酸化炭素を使って酸素を作り出した微生物の住家的存在の岩石であると言われている。この微生物はラン藻又はシアノバクテリアと言われ、このラン藻の働きとで水が浄化される。
【０００９】
すなわち、天然ゼオライトは活性炭と同じような無数の微細な空隙を有し、化学物質などの不純物はこの微細空隙に吸着する。そして、該天然ゼオライト中に生息しているラン藻の光合成にて化学物質を分解させることが出来る。ラン藻には色々な種類があり、アオコ属、アファノカプサ属、キーロスフェリウム属などであり、糸状で真の多細胞であり、２０億年前の先カンブリア代の地層から化石として産出することが多い。
【００１０】
ラン藻は二酸化炭素を使って人間や他の動物にとって欠くことが出来ない酸素を放出することが出来、自然界の平衡を保つ為に重要な役割を果たしている。本発明は、このラン藻が生息する天然ゼオライトを水の浄化に利用することに特徴を有す。
【発明の効果】
【００１１】
本発明は天然ゼオライトを用いて飲料水を浄化することが出来る。天然ゼオライトは無数の微細空隙を有し、この微細空隙に化学物質が侵入して付着する。そして天然ゼオライト中に生息しているラン藻が光合成にて化学物質を分解処理することが出来る。従って、飲料水に入れて殺菌を行う塩素は分解され、無害な飲料水として使用できる。勿論、吸着分解することが出来るのは、塩素の限らず、農薬やダイオキシンなどのあらゆる化学物質が対象となる。
【００１２】
そして、塩素を使用することで発ガン性のあるトリハロメタンを発生するが、このトリハドメタンも吸着分解することが出来る。一方、水のクラスターが小さく成って細胞や組織へ浸透し易く、血行が良く成り、アトピーの治療効果もある。勿論、クラスターが小さくなった水は美味しくなる。
【実施例】
【００１３】
図１は飲料水の浄化装置の概要を示している。水槽１とろ過装置２を接続し、水槽１に溜まっている水４をポンプ３にてゆっくり循環させて浄化する浄化装置である。そこで、水槽１の水４はポンプ３にてろ過装置２へ送られ、該ろ過装置２から再び水槽１へ戻されるといった循環流れを作っている。従って、水槽の水４は化学物質を含まない純粋な水となり、必要に応じて蛇口５を開いて使うことができ、水槽１の水位が一定以下に下がったところで、外から自動給水が行われる。
【００１４】
ところで、上記ろ過装置２には天然ゼオライト６，６・・が収容され、水はこの天然ゼオライト６，６・・の隙間を流れることで浄化される。該天然ゼオライト６，６・・は大きさを３mm〜８mmの直径に砕かれて上記ろ過装置２の容器７に収容され、該天然ゼオライト６，６・・の重量は水容量の約５％程度としている。そして、該水４の循環は約２０分で一巡するように、ゆっくりとした速さで流れる。
【００１５】
又、ろ過装置２の容器７には外からの衝撃が作用しないように支持され、該容器７は光が通過できる透明な材質から成っている。すなわち、天然ゼオライト６，６・・内に生息しているラン藻が光を受けて光合成を行うことが出来るように透明な容器７が使用されている。
【００１６】
天然ゼオライト６，６・・は無数の微細空隙を有し、これら微細空隙に水に含まれている化学物質が侵入して付着する。そして、付着した化学物質はラン藻の光合成によって分解されてしまう。すなわち、活性炭のように微細空隙に化学物質を付着して除去するだけでなく、分解処理を行う為に化学物質は消滅し、容器内に収容している天然ゼオライト６ｍ６・・の浄化作用は何時までも持続することが出来る。
【００１７】
ところで、天然ゼオライト６，６・・を収容した容器に水道水を入れて放置したところ、該容器面には藻が付着し、これを調べたところ該藻はラン藻であることが判明している。勿論、人工ゼオライトにはこのラン藻の生息はなく、その為に水中の化学物質を付着による浄化作用は可能であるが、付着した化学物質の分解処理機能は存在しない。
【００１８】
一般の水道水に塩素残留測定液であるトリジンを入れるならば、水は黄色に濁るが、天然ゼオライト６，６・・でろ過するならば、２０分程度で該濁りは消えてしまう。すなわち、塩素が天然ゼオライトに吸着されるだけでなく、ラン藻にて分解処理がなされたことを物語っている。
【図面の簡単な説明】
【００１９】
【図１】本発明のろ過方法を具現する為のろ過装置の具体例。
【符号の説明】
【００２０】
１  水槽
２  ろ過装置
３  ポンプ
４  水
５  蛇口
６  天然ゼオライト
７  容器
【図１】
2006095394.tif 000003